(57)【特許請求の範囲】
【請求項１】
複数の異なる信号を異なる周波数で同時に受信するためのレシーバであって、前記複数の異なる信号のうちで少なくとも１つのもっとも強い信号を特定するための特定手段と、該複数の信号のうちで前記少なくとも１つのもっとも強い信号を他の信号よりも減衰するためのフィルタと、前記フィルタが、前記最も強い信号を他の信号よりも減衰する周波数に、前記最も強い信号の周波数が位置するように信号の周波数を調整する手段とを備え、前記フィルタが、前記複数の異なる信号を受け取るための入力部と、前記少なくとも１つのもっとも強い信号を他の信号よりも減衰して前記複数の異なる信号を供給するための出力部とを有してなるレシーバ。 
【請求項２】
前記フィルタがノッチフィルタである請求項１記載のレシーバ。
【請求項３】
アナログ‐デジタルコンバータが前記フィルタの出力信号を受け取り、これによって前記少なくとも１つのもっとも強い信号が、前記フィルタによって減衰されたのち当該アナログ‐デジタルコンバータのダイナミックレンジ内にある請求項１または２記載のレシーバ。
【請求項４】
前記複数の異なる信号をダウンコンバートするためにダウンコンバータユニットが設けられ、前記特定手段が、ベースバンドにおける信号の強さを測定するための手段を備えてなる請求項１、２または３記載のレシーバ。
【請求項５】
アナログ‐デジタルコンバータが設けられ、該アナログ‐デジタル‐デジタルコンバータのデジタル出力信号が前記特定手段に入力され、前記特定手段が該アナログ‐デジタルコンバータからのデジタル信号の強さを測定するための手段を備えてなる請求項１、２、３または４記載のレシーバ。
【請求項６】
前記信号を受け取るための入力部と、前記特定手段に接続された第１の出力部を備え、前記フィルタを含む主信号路に接続された第２の出力部とを備えたスプリッタが設けられてなる請求項１、２、３、４または５記載のレシーバ。
【請求項７】
前記第１の出力部の信号が第２の出力部の信号より弱くなるように前記スプリッタが配列されてなる請求項６記載のレシーバ。
【請求項８】
前記スプリッタがカプラを備えてなる請求項６または７記載のレシーバ。
【請求項９】
前記受け取られた信号を中間周波数レンジにダウンコンバートするためにダウンコンバートユニットが設けられ、該ダウンコンバートユニットが、当該中間周波数レンジを決定するための特定手段から制御信号を受け取るように配列されてなる請求項１、２、３、４、５、６、７または８記載のレシーバ。
【請求項１０】
前記受け取られた信号を前記第１の中間周波数レンジより小さい所定の第２の中間周波数レンジにダウンコンバートするために、第２のダウンコンバートユニットが設けられ、前記特定手段が、当該所定のレンジ内に該第２のコンバータユニット出力信号がくるように、第２のコンバータユニットを制御するための制御信号を供給するように配列されてなる請求項９記載のレシーバ。
【請求項１１】
前記第１および第２のダウンコンバータユニットのうちの少なくとも１つが発振器を備えており、ダウンコンバート信号を供給するように配列され、該ダウンコンバート信号の周波数が前記特定手段により制御されてなる請求項９または１０記載のレシーバ。
【請求項１２】
前記特定手段が、前記信号を分離するための部分と、前記少なくとも１つのもっとも強い信号を特定するための部分とを備えてなる請求項１、２、３、４、５、６、７、８、９、１０または１１記載のレシーバ。
【請求項１３】
前記特定手段が、前記信号を分離するために高速フーリエ変換ユニットを備えてなる請求項１２記載のレシーバ。
【請求項１４】
前記特定手段が、前記信号をベースバンドに変換するためのデジタルダウンコンバータを備えてなる請求項１２記載のレシーバ。
【請求項１５】
前記デジタルダウンコンバータが発振器を備え、該発振器の周波数が、ベースバンドで複数の信号を供給するために変更されてなる請求項１４記載のレシーバ。
【請求項１６】
複数のダウンコンバータが設けられ、それぞれのダウンコンバータが、ベースバンドに対して異なる周波数の範囲内で信号を変換するように配列されてなる請求項１４または１５記載のレシーバ。
【請求項１７】
請求項１、２、３、４、５、６、７、８、９、１０、１１、１２、１３、１４、１５または１６記載のレシーバを組み込んでなる基地ステーション。
【請求項１８】
複数の異なる信号を異なる周波数で同時に受信するための方法であって、
前記複数の異なる信号のうちで少なくとも１つのもっとも強い信号を特定し、
前記複数の異なる信号を受け取るための入力部と、前記複数の信号のうちで前記少なくとも１つのもっとも強い信号を他の信号よりも減衰して前記複数の異なる信号を供給するための出力部とを有するフィルタと、前記フィルタが、前記最も強い信号を他の信号よりも減衰する周波数に、前記最も強い信号の周波数が位置するように信号の周波数を調整することによって、前記複数の信号のうちの前記少なくとも１つのもっとも強い信号を他の信号よりも減衰させる
ことからなる方法。
【発明の詳細な説明】
【０００１】
本発明は信号の増幅を減少させるための装置およびその方法に関する。詳しくは、該装置および方法は無線通信ネットワークのためのレシーバに用いられ得るものであるが、これに限られることはない。
【０００２】
図１は、公知の無線通信ネットワーク２を示している。ネットワーク２によってカバーされる領域は、複数のセル４に分割される。それぞれのセルは、基地トランシーバステーション６と関連している。それぞれの基地トランシーバステーション６は、該基地トランシーバステーション６に関連づけられたセル４の中のターミナル８と通信するために設けられる。ターミナル８は、複数のセル間を移動することができる移動ステーションであってよい。
【０００３】
各基地トランシーバステーションは、ＧＳＭ（移動通信のためのグローバルシステム(Global System for Mobile Communications))規格によって、図２ａに示されるようなＮ個の利用できるチャネルＣ１…ＣＮからＭ個のチャネルを受け取るために構成されている。これは、ＧＳＭが周波数分割多量アクセス技術を用いるからである。当該ＮチャネルＣ１…ＣＮはＸＭＨｚのバンド幅を占める。したがって、各チャネルはＸ／Ｎ ＭＨｚの間隔を有する。これはＧＳＭ規格では２００ｋＨｚである。各チャネルはフレームＦに分割され、そのうちの１つが図２ｂに示されている。各フレームは８つのスロットＳ１…Ｓ８に分割されている。ＧＳＭ標準は周波数／時分割多量アクセス（Ｆ／ＴＤＭＡ）システムであるので、異なる移動ステーションが、与えられた周波数に対して異なる時間スロットが割り当てられる。よって、基地トランシーバステーションは、同一の周波数で異なる時間スロットにおける異なる移動ステーションから信号を受け取る。Ｍは通常Ｎよりもかなり小さい。
【０００４】
公知の基地トランシーバステーション９の一部を示している図３に言及すると、該基地トランシーバステーションは、同一の時間でＮチャネルを受け取るように構成されている。明確な説明のために、基地トランシーバステーション９の受信部だけが示されている。基地トランシーバステーション９はアンテナ１０を有しており、該アンテナ１０は、該基地トランシーバステーション９からサービスを受けるセル内の移動ステーションから信号を受け取るように構成される。当該基地トランシーバステーションは、Ｎ個のレシーバＲ１、Ｒ２…ＲＮを備えている。よって、基地ステーション９によって受け取られるべき各周波数に対して１つのレシーバが設けられいる。すべてのレシーバＲ１、Ｒ２…ＲＮは同一の構成を有しているので、第１のレシーバＲ１の構成要素だけを図示した。第１のレシーバＲ１は第１のバンドパスフィルタ１２を備えており、該バンドパスフィルタは、利用できるＭ個のチャネルが設けられたバンド幅の外側にくる信号をフィルターにかける（ないしは除去する）ように構成されている。フィルターにかけられた出力が第１の低ノイズ増幅器１４に入力され、該低ノイズ増幅器は受信信号を増幅する。増幅された信号は、ついで、第２のバンドパスフィルタ１６を通過する。該第２のバンドパスフィルタ１６は、第１の増幅器１４によって導入される高調波などのノイズを除去する。
【０００５】
第２のバンドパスフィルタの出力はミクサ１８に接続されており、該ミクサは局所発振器２０からの第２の入力を受け取る。当該局所発振器２０の出力周波数は、その特定のレシーバに割り当てられたチャネルの周波数に依る。第２のバンドパスフィルタ１６の出力は局所発振器２０の出力とミックスされて、中間周波数ＩＦで無線信号を出すが、該周波数は、信号が受け取られた際の無線周波数よりも低い。それぞれのレシーバのミクサ１８によって出力された中間周波数ＩＦはすべてのレシーバについて同一であり、たとえば、１８０ＭＨｚである。たとえば、もし与えられたレシーバに割り当てられたチャネルが８８０ＭＨｚの周波数を有しているなら、該レシーバの局所発振器２０は７００ＭＨｚに同調される。一方、与えられたレシーバに割り当てられたチャネルが９００ＭＨｚの周波数を有しているならば局所発振器は７２０ＭＨｚの周波数に同調される。
【０００６】
ミクサ１８の出力が、ノイズと、ミクサ１８によって導入される望ましくない混合波(mixing product)を除去（ないしはフィルタにかける）する第３のバンドパスフィルタ２２に入力される。当該第３のバンドパスフィルタ２２の出力は第２の増幅器２４によって増幅され、さらなるバンドパスフィルタ２６に出力される。さらなるバンドパスフィルタ２６は、その特定のレシーバに割り当てられたチャネルの信号を除いてすべての信号を除去する。換言すれば、アンテナ１０によって受け取られたすべてのチャネルは、レシーバＲ１に割り当てられたチャネルを除いて、さらなるバンドパスフィルタ２６によって除去される。さらなるバンドパスフィルタ２６の出力は自動ゲインコントロールユニット２８に接続されており、当該自動ゲインコントロールユニットは、アナログ−デジタルコンバータ３０のダイナッミックレンジの範囲内になるように、信号のゲインを変える。
【０００７】
該公知のアーキテクチャについての１つの問題は、各チャネルに対してレシーバを設ける必要があることである。
【０００８】
公知のネットワークの場合、基地トランシーバステーションは、基地トランシーバにひじょうに接近している移動ステーション８のみならず、セルのはしの方にある移動ステーションから信号を受け取ることが要求される。それゆえ、基地トランシーバステーションによって受け取られた信号の強さは、移動ステーションおよび基地ステーションの距離に依存して、大きく変動する。
【０００９】
基地トランシーバステーションにおける移動ステーションから受け取られた信号の大きさの比較的大きい変動は、レシーバにおいて多くの困難をじゃっきする。もし単一のレシーバが２つ以上のチャネルからの信号と共に用いられるならば、増幅器は、より振幅の大きい信号と、より振幅の小さい信号とを含む受け取ったすべての信号を、与えられた時間において同一の量だけ増幅しなければならない。したがって、より大きい信号は、アナログ−デジタルコンバータのダイナミックレンジの範囲外となり、該アナログ−デジタルコンバータが、歪をもたらす飽和状態になるかもしれない。典型的には、歪は相互変調プロダクト信号を発生する相互変調歪の形をとる。この干渉は、他のチャネルに受け取られた信号と干渉し得る。もしより小さい増幅を用いるならば、これはより小さい信号が背景ノイズ(background noise)によって失われてしまう、あるいは、背景ノイズに埋もれてしまうという結果となる。
【００１０】
米国特許第ＵＳ−Ａ−５５９０１５６号公報は、ワイドバンドのデジタル基地ステーションにおいて利用できるダイナミックレンジを広げる技術を開示している。該基地ステーション２つのレシーバをもっている。１つのレシーバのゲインは高く、弱い信号向けを意図しており、もう一つのレシーバのゲインは低く、これはより強い信号用であることを意味している。これら２つのレシーバには、異なる周波数バンドが割り当てられる。より遠方の移動ステーションには、高ゲインを有するレシーバにより使用される周波数バンドが割り当てられる一方、基地トランシーバステーションに近接した移動ステーションには、低ゲインのレシーバにより使用される周波数バンドが割り当てられる。この解決法は、基地ステーションにチャネル割り当て機能が設けられることを要求する。さらに２つの異なるレシーバは依然として必要である。
【００１１】
それゆえ、公知のシステムの問題点を低減するか、または緩和することが、本発明の実施例の目的である。
【００１２】
本発明の一側面によれば、同時に異なる複数の信号を受け取るためのレシーバであって、少なくとも該異なる複数の信号のうちでもっとも強い信号を特定するための手段と、該少なくとも１つのもっとも強い信号を該複数の信号のうちの他の信号に対して減衰させるためのフィルタとを備えてなるレシーバが提供される。
【００１３】
前記複数の異なる信号は、周波数が異なっていることが好ましい。
【００１４】
前記フィルタはノッチフィルタであることが好ましい。前記レシーバは、もっとも強い信号がノッチフィルタのストップバンドの中心となり、前述の減衰をされるように構成されてもよい。前記ノッチフィルタが隣接する信号を減衰させないことが好ましい。
【００１５】
好ましくは、アナログ−デジタルコンバータがフィルタの出力部に接続されており、フィルタによって減衰されたのちに、前記少なくとも１つのもっとも強い信号は、アナログ−デジタルコンバータのダイナッミックレンジの範囲内にある。したがって、先行技術の問題は回避され得る。
【００１６】
ダウンコンバータユニットが前記信号をダウンコンバート(down convert)するために設けられ、前記特定手段がベースバンドで信号の強さを測定するための手段を備えてなることが好ましい。出力が前記特定手段の入力部へと接続されたアナログ−デジタルコンバータが設けられ、前記特定手段が、該アナログ−デジタルコンバータからのデジタル信号の強さを測定するための手段を備えてなることが好ましい。このアナログ−デジタルコンバータは、フィルタの出力部に接続されたアナログ−デジタルコンバータと一般的に異なる。
【００１７】
好ましくは、前記信号を受け取るための入力部と入力信号を分割するためのスプリッタが存在し、該スプリッタが前記特定手段に接続された第１の出力部と、前記フィルタを含む主信号経路に接続された第２の出力部とを備えている。第２のパスは、前記特定手段に専用で、前記特定手段に必要な信号を供給することが好ましい。前記スプリッタは、前記第１の出力部の信号が第２の出力部の信号よりかなり弱いように構成されることが好ましい。したがって、スプリッタはカプラであってもよい。
【００１８】
ダウンコンバータユニットが受け取られた信号を中間周波数レンジにまでダウンコンバートするために設けられてもよく、当該ダウンコンバートユニットが、該中間周波数レンジを決定するための制御信号を前記特定手段から受け取るように構成されており、これによって該中間周波数レンジが、もっとも強い信号の周波数にもとづいて前記特定手段によって決定される。このダウンコンバータは主信号経路上にあり、叙上のダウンコンバータユニットとは異なることが好ましい。
【００１９】
第２のダウンコンバータが、受け取られた信号を前記第１の中間周波数レンジより低い所定の第２の中間周波数レンジにまでダウンコンバートするために設けられ、前記特定手段が、第２のコンバータユニットの出力が所定のレンジ内にくるよう前記第２のダウンコンバータを制御するための制御信号を供給するよう構成されることが好ましい。好ましい実施例において、前記主経路に用いられる２つの中間周波数が存在する。該第１の中間周波数レンジは変動し得るが、第２の中間周波数レンジは固定されることが好ましい。
【００２０】
前記第１および第２のダウンコンバータユニットの少なくとも１つが、発振器を備えており、該発振器がダウンコンバージョン信号を供給するように構成され、該ダウンコンバージョン信号の周波数が前記特定手段によって制御されてなることが好ましい。前記ダウンコンバージョン信号の周波数が中間周波数レンジを決定してもよい。
【００２１】
前記特定手段は前記信号を分離するための第１の部分と、前記少なくとも１つのもっとも強い信号を特定するための第２の部分とを備えていてもよい。該第２の部分は叙上の制御信号を発生することが好ましい。
【００２２】
前記第１の部分は、信号を分離するために高速フーリエ変換(Fast Fourier Transform)ユニットを備えてもよく、あるいは、本発明の別の実施例においおいて、信号をベースバンドに変換するためのデジタルダウンコンバータを備えてもよい。該デジタルダウンコンバータは発振器を備えてもよく、該発振器の周波数は、ベースバンドにおける複数の信号をそれぞれ供給するように構成される。別の実施例においては、複数のダウンコンバータが設けられ、それぞれのダウンコンバータが異なる周波数レンジ内の信号をベースバンドに変換するように構成される。各ダウンコンバータはそれぞれが取り扱う単一のチャネル周波数を有していてもよく、または各ダウンコンバータは、信号が受け取られ得る全バンド幅のサブレンジ(subrange)を取り扱ってもよい。後者の場合、ダウンコンバータは多数の異なる周波数に対してベースバンド信号を供給することができるかもしれない。
【００２３】
本発明の実施例は、たとえばセルラー通信ネットワークにおける使用のために基地トランシーバステーションに組み込まれることが好ましい。
【００２４】
本発明のよりよい理解のために、本発明がいかに有効に実施されるのかについて添付図面を一例にして以下に述べる。
【００２５】
図１は典型的な無線通信ネットワークを示しており、
図２ａはＧＳＭシステムにおける基地トランシーバステーションによって受け取られ得るチャネルの一例を示しており、
図２ｂは、それぞれのチャネルに使用されるフレーム構成を示しており、
図３は、基地トランシーバステーションの公知の受信部を示しており、
図４は本発明を具体化している基地トランシーバステーションの受信部を示しており、
図５ａは図４の第１のバンドパスフィルタのバンド幅を示しており、
図５ｂは図４の第２のバンドパスフィルタのバンド幅を示しており、
図５ｃは図４のノッチフィルタのバンド幅を示しており、
図５ｄは図４の第３のバンドパスフィルタのバンド幅を示しており、
図６は図４の受信器と共に使用するための第１の走査受信器を示しており、
図７は図４の受信器と共に使用するための第２の走査受信器を示しており、そして
図８は図４の受信器と共に使用するための第３の走査受信器を示している。
【００２６】
本発明を具体化している基地ステーションの受信部３２を示す図４について述べる。本発明を具体化している基地トランシーバステーションは、図３に示された公知の基地トランシーバステーションとは異なり、単一の受信器３２だけを有しており、該単一の受信器は、基地トランシーバステーションによって受け取られるべきＮチャネルすべてを同時に処理する。
【００２７】
基地トランシーバステーションの受信部３２はアンテナ３４を備えており、当該アンテナは基地トランシーバステーションと関連づけられたセルにおける移動ステーションからの信号を受け取る。アンテナによって受け取られた信号は、異なる周波数における複数の異なるチャネルを含む。本発明の実施例は、ＧＳＭシステムに即して説明される。しかしながら、本発明の実施例が他のいかなる適切な規格にも適用できることは認識されるべきである。アンテナ３４によって受け取られた信号は第１のバンドパスフィルタ３６に入力される。第１のバンドパスフィルタ３６は、Ｎチャネルが設けられたバンド幅の外側にくる信号を除去、ないしはフィルタがかけられる。フィルタがかけられた信号は、信号を２つの部分に分割するカプラ３８に入力される。信号のうち、より強い部分は第１の増幅器４０に入力される。カプラ３８の弱い方の出力は第２の増幅器４２に入力される。カプラ３８のより強い方の出力の経路について述べる。
【００２８】
第１の増幅器４０は、受け取った信号を増幅する。増幅された信号は第１のミクサ４４に入力される。第１のミクサ４４は、受け取られた信号と第１の局所発振器４６からの信号とを混合する。第１の局所発信器４６の周波数は走査レシーバないしは受信器４８によって設定されるが、後により詳細に述べる。受け取られた信号と第１の局所発信器４６からの信号との第１のミクサ４４による混合は、信号をより低い中間周波数レンジにする。該中間周波数レンジは、アンテナ３４によって受け取られた信号の無線周波数レンジよりも低い。
【００２９】
第１のミクサ４４の出力は第２のバンドパスフィルタ５０に入力される。第２のバンドパスフィルタ５０は、擬似混合信号(spurious mixer signal)と、他の異なる次数の信号(other signal)とを中間周波数レンジの信号に害を与えることなく除去する。第２のバンドパスフィルタ５０の出力はノッチフィルタ５２に入力される。当該ノッチフィルタは予め規定されたストップバンドを有している。予め規定されたストップバンド周波数レンジ内にくる信号は減衰されて、受け取られた信号のダイナミックレンジを減少させる。ストップバンド周波数の外側の信号は影響を受けない。これについては後に詳細に述べる。ノッチフィルタ５２の出力は第２のミクサ５４に入力され、該第２のミクサは、ノッチフィルタ５２の出力と第２の局所発振器５６の出力とを混合する。第２の局所発振器によって与えられた周波数も走査受信器４８によって制御される。第２のミクサ５４も中間周波数レンジにあり、該中間周波数レンジは第１のミクサ４４によって出力された中間周波数レンジよりも低い。
【００３０】
第２のミクサ５４の出力は第３のバンドパスフィルタ５８に入力され、該第３のバンドパスフィルタは、擬似結合信号と、他のオーダー信号とを第２の中間周波数レンジの信号に害を与えることなく除去する。第３のバンドパスフィルタの出力は、信号を増幅する第３の増幅器６０に入力される。第３の増幅器６０の出力は、アナログ−デジタルコンバータ６２に入力されて、アナログ信号をデジタル形式に変換する。
【００３１】
デジタル信号は、アナログ−デジタルコンバータ６２によってチャネライザ６４に出力され、該チャネライザは、受け取った信号中に存在するチャネルを分離し、Ｎ個のチャネルを提供する。Ｎ個のチャネルはベースバンドに変換され、従来の方法により引き続き処理される。
【００３２】
カプラ３８の弱い方の出力は第２の増幅器４２に入力される。第２の増幅器４２の出力は第３のミクサ６６に入力され、該第３のミクサは無線周波数で受け取られた信号と第４の局所発振器６８からの信号とを混合して、第３の中間周波数レンジで信号を供給する。これは、第１のミクサ４４によって供給される第１の中間周波数レンジに類似したオーダーであるが、必ずしも同じでなくてもよい。第３の局所発振器６８によって与えられる周波数は一定である。
【００３３】
第３のミクサ６６の出力は第４のバンドパスフィルタ７０に入力され、該第４のバンドパスフィルタは、擬似結合信号と他のオーダー信号とを除去する。第４のバンドパスフィルタの出力部は第４のミクサ７２に接続されている。第４のミクサ７２は、第４のバンドパスフィルタの出力と第４の局所発振器７４の出力とを混合する。これによって第４の中間周波数レンジの信号が供給される。該第４の中間周波数レンジは第２のミクサ５４によって出力された第２の中間周波数レンジのオーダーと同じオーダーである。第４の局所発振器７４によって与えられる周波数は一定のままである。
【００３４】
第４のミクサ７２の出力は第５のバンドパスフィルタ７６に入力されており、該第５のバンドパスフィルタは、第４のミクサ７２によって導入されるノイズなどを除去する。第５のバンドパスフィルタの出力は第４の増幅器７８に入力され、該第５の増幅器は信号を増幅し、これをアナログ信号をデジタル形式に変換するアナログ−デジタルコンバータ８０に入力する。アナログ−デジタルコンバータ８０の出力部は走査受信器４８の入力部に接続され、該走査受信器は叙上のとおり、前記第１および第２の局所発振器４６および５６の周波数を制御する。
【００３５】
走査受信器４８の目的は、該走査受信器がアナログ−デジタルコンバータ８０から受け取るすべてのデジタル信号の強さを考慮することである。当該走査受信器は、バンド幅内で受け取られたすべての信号を走査し、もっとも強い信号を特定するように構成される。走査受信器がもっとも強い信号をひとたび特定すると該もっとも強い信号が第一のミクサによってダウンコンバートされたときに、ノッチフィルタのストップバンド内にくるように、第１の局所発振器４６の周波数が設定される。走査受信器４８は、第２の局所発信器５６によって与えられる周波数を、第２のミクサ５４の出力が常に第２の中間周波数レンジ内にあるように制御する。
【００３６】
つぎに、多数のフィルタのバンド幅を示す図５ａ〜５ｄについて述べる。図５ａは第１のバンドパスフィルタ３６のバンド幅を示している。第１のバンドパスフィルタ３６は無線周波数バンド幅に同調され、信号が受け取られうるバンド幅内ですべての信号が通過することを保証するに充分ワイドである。バンド幅はＧＳＭシステムにおいて、３５ＭＨｚのオーダーであってよく、この場合ＧＳＭシステムは利用できるあらゆるバンドで使用できる。しかし、いくつかの実施例において、ＧＳＭシステムにおけるバンド幅は３５ＭＨｚ未満でもよい。この場合、受信器が使用され得る利用可能バンド数はＮ未満になる。例示として、受け取られた信号は、異なる周波数における３つの別々のチャネルを有しているように示されている。第１のチャネル８２は大きい振幅を有する信号を含んでおり、第２および第３のチャネル８４および８６はかなり弱い信号を有している。
【００３７】
図５ｂは第２のバンドパスフィルタ５０の特徴を示しており、該第２のバンドパスフィルタは第１の中間周波数レンジに同調される。もっとも強い信号はバンド信号が受けとられるバンド幅のいずれかの端部に位置するかもしれないので、第２のフィルタ５０は第３のバンドパスフィルタ５８のバンド幅の２倍であってよい。また、より小さいバンド幅のフィルタを使用することは、本発明の別の実施例において可能である。
【００３８】
図５ａに示された例において、もっとも強い信号が第１のフィルタ３６のバンド幅の一端に示されている。もっとも強い信号がノッチフィルタ５２のストップバンドに存在することを保証することは、ひいては第２のバンドパスフィルタ５０のバンド幅の第１のバンド幅の中間にもっとも強い信号が存在することである。これは、ノッチフィルタのストップバンドが、第２のバンドパスフィルタのバンド幅の中間にくる周波数に同調されることを仮定としている。
【００３９】
図５ｃは、ノッチフィルタが、ストップバンド周波数８８の範囲内にくる信号を除いてすべての信号を、減衰することなく通過させることを示している。この図から見られるように、もっとも強い信号８２が減衰し、他の２つの信号は影響を受けない。
【００４０】
図５ｄは第３のバンドパスフィルタ５８のバンド幅を示している。第２のミクサの出力の周波数は固定されているので、第３のバンドパスフィルタは適切な中間周波数レンジにシフトされているけれども、第１のバンドパスフィルタ３６と同一のバンド幅をもつことができる。また、より小さいバンド幅のフィルタを使用することは、本発明の別の実施例において可能である。第３のバンドパスフィルタ５８は受信器のバンド幅を設定し、該バンド幅はフィルタ３６のバンド幅より小さくてもよい。所望の信号すべてがフィルタ５０および５８のパスバンドに位置することが重要である。
【００４１】
したがって、図５ｄから見られるように、もっとも強い信号の振幅は、他の信号の振幅よりかなり小さいか、または接近するように減衰される。これは、信号のダイナミックレンジを有効に減少し、その結果すべての信号は、たとえばダイナミックなアナログ−デジタルコンバータ６２のダイナミック（レンジ）の範囲内にくる。第２のアナログ−デジタルコンバータ８０においては、ひじょうに強い信号と弱い信号とが存在するので、弱い信号がノイズ内で失われるかもしれないことは認識されるべきである。しかし、走査受信器はもっとも強い信号だけを捜すので、このことが問題を惹起することはない。
【００４２】
つぎに、第１の走査受信器を示す図６について述べる。
【００４３】
第１の走査受信器はデジタル・ダウンコンバータ９０を備えている。デジタル・ダウンコンバータは、アナログ−デジタルコンバータ８０の出力を受け取るための入力部９１を有している。アナログ−デジタルコンバータ８０からの入力は、それぞれ第１および第２の乗算器９２および９４に入力される。第１および第２の乗算器９２および９４は、それぞれ数値制御される発振器（ＮＣＯ）９７からの出力を受け取る。該数値制御される発振器は出力周波数を供給し、該出力周波数は、アナログ−デジタルコンバータ６２からの信号と混合されるとき、ローパスフィルタ９６および９８のパスバンド内の所望の周波数チャネルの同相(in-phase)成分と直交(quadrature)位相成分を生成する。第１および第２の乗算器９２および９４のそれぞれの出力は、ローパスフィルタ９６および９８に入力される。これによりベースバンド周波数でない信号が除去される。フィルタ９６および９８の出力は、当該各信号の強さを決定するユニット１００に入力される。ＮＣＯ９７によって供給される信号の周波数はユニット１００によって制御され、その結果受け取られた信号に含まれた周波数のそれぞれは、ベースバンド周波数に低められる。ユニット１００は各信号の強さを記憶するレジスタを有している。ユニット１００は信号を比較し、もっとも強い信号と、その信号に関連する周波数とを特定する。ついでユニット１００は、第１の局所発振器４６によって供給される周波数を、ノッチフィルタ５２のストップバンド内にもっとも強い信号がくるように制御する出力１０２を出す。また、ユニット１００の出力は、第２のミクサ５４の出力が適切な中間周波数に存在するように第２の局所発振器５６を制御する。第１および第２の乗算器が入力信号の複素表現を生成することを認識すべきである。よって、一方の乗算器の出力はＩ信号を表わしており、他方の乗算器の出力はＱ信号を表わす。
【００４４】
つぎに、第２の走査受信器４８を示す図７について述べる。この走査受信器は図６に示されたものに類似している。しかし、複数のデジタル・ダウンコンバータ９０が設けられている。各デジタル・ダウンコンバータは、図６に示された構成と同一の構成を有している。
【００４５】
各ダウンコンバータ９０には異なる周波数が割り当てられているので、アナログ−デジタルコンバータからの信号出力の異なる１つをダウンコンバートする。ユニット１００は、図６に関連して述べた方法と同一の方法で動作する。
【００４６】
図７に示された実施例において、デジタル・ダウンコンバータ９０は、それぞれの発振器によってそれぞれの乗算器６に適用される所与の周波数を有していてもよい。あるいは、各発振器が所定のバンド幅のサブバンドを走査するように構成されていてもよい。
【００４７】
つぎに、走査受信器の第３の実施例を示す図８について述べる。図６および７のデジタル・ダウンコンバータが、高速フーリエ変換ユニット１０４によって置き換えられており、高速フーリエ変換ユニットは周波数領域情報を抽出する。とくに、高速フーリエ変換ユニットは、異なる信号を分離するように構成される。分離された信号は、ついで、ユニット１００に入力され、該ユニット１００は図６および７に示された実施例の如くもっとも強い信号を決定する。
【００４８】
かかるノッチフィルタの減衰は所要のアナログ−デジタルコンバータ６２の性能によって決定される。隣接するチャネルの減衰を維持し、他の信号をできるだけ小さく維持することが目的である。
【００４９】
叙上の実施例の一変形において、走査受信器ブランチ、すなわちカプラ３８からの出力部から走査受信器までの経路は単一の中間周波数だけを有していてもよい。換言すれば、単一のミクサだけが図４に示された第３および第４のミクサの代りに設けられる。
【００５０】
第１のアナログ−デジタルコンバータ６２のクロック速度は所望のバンド幅、すなわち、信号が受け取られるバンド幅の２．５倍である。
【００５１】
本発明の実施例をＧＳＭシステムに関連して述べたが、本発明の実施例はアナログ規格を含む他の適切な規格によって用いられ得る。すなわち他の規格は、時分割多重アクセス（ＴＤＭＡ）、コード分割多重アクセス（ＣＤＭＡ）などの拡散スペクトルシステム、周波数分割多重アクセス（ＦＤＭＡ）、およびこれらのシステムのハイブリッドを用いている。本発明の実施例はＧＳＭシステムの意味合いにおいて述べたが、本発明の実施例は、ＴＤＭＡを用いているか否かにかかわらず、とくにＦＤＭＡシステムに適用される。
【００５２】
基地トランシーバステーションのためのレシーバという意味合いにおいて本発明の実施例を述べた。しかし、本発明の実施例は移動ステーションのレシーバ、ならびに、セルラーネットワークにおいて用いられるものではないが、多数の信号を同時に受け取るように構成されている他のタイプの受信器など、適切な受信器に適用可能である。該受信器は無線または有線の受信器であってよい。
【００５３】
本発明の好ましい実施例をすべてのＮチャネルを同時に受信する受信器の意味合いにおいて述べたが、本発明の実施例はＮチャネルのうちのいくつかだけ（少なくとも２つ）を同時に受け取る受信器にも適用できる。複数の受信器が必要とされるが、必要とされる受信器の数がＮよりも小さいことに変わりはない。
【図面の簡単な説明】
【図１】  典型的な無線通信ネットワークを示す図である。
【図２ａ】  ＧＳＭシステムにおける基地トランシーバステーションによって受け取られるチャネルの一例を示す図である。
【図２ｂ】  それぞれのチャネルに使用されるクレーム構成を示す図である。
【図３】  基地トランシーバステーションの公知の受信部を示す図である。
【図４】  本発明を具体化している基地トランシーバステーションの受信部を示す図である。
【図５ａ】  図４の第１のバンドパスフィルタのバンド幅を示す図である。
【図５ｂ】  図４の第２のバンドパスフィルタのバンド幅を示す図である。
【図５ｃ】  図４のノッチフィルタのバンド幅を示す図である。
【図５ｄ】  図４の第３のバンドパスフィルタのバンド幅を示す図である。
【図６】  図４の受信器と共に使用するための第１の走査受信器を示す図である。
【図７】  図４の受信器と共に使用するための第２の走査受信器を示す図である。
【図８】  図４の受信器と共に使用するための第３の走査受信器を示す図である。
【図１】
0003805984.tif 000002
【図２ａ】
0003805984.tif 000003
【図２ｂ】
0003805984.tif 000004
【図３】
0003805984.tif 000005
【図４】
0003805984.tif 000006
【図５ａ】
0003805984.tif 000007
【図５ｂ】
0003805984.tif 000008
【図５ｃ】
0003805984.tif 000009
【図５ｄ】
0003805984.tif 000010
【図６】
0003805984.tif 000011
【図７】
0003805984.tif 000012
【図８】
0003805984.tif 000013